(57)【要約】      （修正有）【課題】前向きで昇り降りできる両側手摺りあるいは片側手摺りとしても使用でき、ガタつきなく安定して床面に設置できる突っ張り棒を備えた介護用手摺りを提供する。【解決手段】手摺り部３と支柱部２と基盤１とからなり、基盤１の両側に支柱部２が立設され、支柱部２の上部に手摺り部３を備え、基盤１と支柱および手摺りを着脱可能にして両側手摺りあるいは片側手摺りとして使用でき、かつ手摺りステーと支柱との間および／または支柱とステーとの間で上下に高さ調整できるようにするとともに、基盤１に移動防止手段として着脱可能で長さ調整が可能な突っ張り棒４を取り付けることにより安定的に固定できる突っ張り棒４を備えた介護用手摺り。【選択図】図５
2011214378.tif 000002
【特許請求の範囲】
【請求項１】
手摺り部と支柱部と基盤とからなり、該基盤に支柱部が立設され、該支柱部の上部に手摺り部を備え、該基盤に着脱可能で長さ調整可能な突っ張り棒を備えたことを特徴とする介護用手摺り。
【請求項２】
前記突っ張り棒は、断面がＬ字形状あるいはＣ字形状であり、棒状本体と短い延長部材と長い延長部材とからなり、該延長部材の端部に台座を設け、該台座にアジャスター部材が装着されていることを特徴とする請求項１記載の介護用手摺り
【請求項３】
前記支柱部が基盤の両側に立設され、前記手摺り部と支柱部が基盤と着脱可能であり、両側手摺りあるいは片側手摺りとして使用することができることを特徴とする請求項１又は２に記載の介護用手摺り。
【請求項４】
前記手摺り部は手摺り本体と手摺りステーとからなり、前記支柱部は支柱とステーとからなり、手摺りステーと支柱との間および／または支柱とステーとの間で上下に高さ調整できることを特徴とする請求項１乃至３に記載の介護用手摺り。
【請求項５】
前記手摺り部は両側に水平な把持部を有し、該水平な把持部の一方から他方の水平な把持部に向けて曲率半径が漸増または漸減して湾曲する把持部を有することを特徴とする請求項１乃至４に記載の介護用手摺り。
【発明の詳細な説明】
【発明の詳細な説明】
【技術分野】
【０００１】本発明は、高齢者や身体障害者が建物内の玄関等、段差のある場所での昇り降りに適した突っ張り棒を備えた介護用手摺りに関する。
【背景技術】
【０００２】玄関等の段差部には、老人や身体障害者の昇り降りを介助するために、壁に沿わせて昇降用の手摺りが配設されている。特許文献１（特許３１２１２７６号）に記載されたものは、前後一対の脚柱と手摺り本体からなり、前側の脚柱の下端は玄関床に当設され、後ろ側の脚柱の下端には断面Ｌ字形のブラケットを取り付けて該ブラケットを上り框に当設して固定している玄関ホール昇降用手すりである。【０００３】また、特許文献２（特開２００９−１５５９５１号）に記載されたものは、手摺り本体の下側に床面に垂下される脚柱を有する立ち上がり部を設け、床面に載置される基板に立設支持するとともに、立ち上がり部を壁に突っ張り支持している。【０００４】
【特許文献１】特許第３１２１２７６号公報
【特許文献２】特開２００９−１５５９５１号公報
【発明が解決しようとする課題】
【０００５】特許文献１に記載されたものは、上り框にビス等で固定されるため、介護保険の住宅改修には適するが、レンタルには採用されない問題がある。また、取り外した際にビスのネジ穴が残り玄関の美観が損なわれる。
特許文献２に記載されたものは、壁に突っ張り支持する突っ張り支持部が設けられているので横倒れは防止できるが、固定されていないため前後左右に動く恐れがあり、使用者に不安が生じる。
【０００６】特許文献１、２に記載されたものは、いずれも片側にしか手すりがないので、片マヒの方が昇り降りする際、上段から下段へ降りるときは前向きに降りることができるが、下段から上段へ昇るときは後ろ向きになって昇ることとなる不都合が生じている。また、逆に下段から上段へ昇るときに前向きに昇ると、上段から下段へ降りるときは後ろ向きに降りることとなり、不安である。
【課題を解決するための手段】
【０００７】本発明は、従来の上記課題を解決する手段として、請求項１に記載の本発明は、手摺り部と支柱部と基盤とからなり、該基盤に支柱部が立設され、該支柱部の上部に手摺り部を備え、該基盤に着脱可能で長さ調整可能な突っ張り棒を備えたことを特徴とする介護用手摺りである。
【０００８】請求項１記載の発明によれば、突っ張り棒が基盤に設けられているから倒れ防止だけでなく前後左右にずれるなどの動きを防止でき、安全に安心して使用することができる。また、基盤と着脱可能で仮固定であるのでレンタルに適している。
【０００９】請求項２に記載の本発明は、前記突っ張り棒が、断面がＬ字形状あるいはＣ字形状であり、棒状本体と短い延長部材と長い延長部材とからなり、該延長部材の端部に台座を設け、該台座にアジャスター部材が装着されていることを特徴とする請求項１記載の介護用手摺りである。
【００１０】請求項２記載の発明によれば、突っ張り棒の断面形状がＬ字状またはＣ字状であるため、突っ張り棒の軸線方向に強い圧縮力がかかると一定方向に撓む性質を有するから、アジャスターの押圧体を壁面に強く押しつけると、反力で棒状体が湾曲して上り框の下部壁面に当接して、しっかりと固定することができる。
また、請求項２記載の発明によれば、玄関の幅に合わせて延長部材の長さを選択し、短い延長部材を左側に長い延長部材を右側に棒状本体に取り付けると玄関の左側の壁面に沿って手摺りを設置することができ、逆に、短い延長部材を右側に長い延長部材を左側に棒状本体に取り付けると玄関の右側の壁面に沿って手摺りを設置することができる。突っ張り棒の長さは任意であるが、棒状本体の長さは基盤の幅と略同じ長さとし、延長部材の長さを変えて任意の長さにすることで、玄関の幅に合わせることができる。壁面との微調整はアジャスター部材の長さで調節することができる。例えば、突っ張り棒の全長が７０ｃｍから２００ｃｍである場合、長い延長部材の長さを５０ｃｍと１００ｃｍと１５０ｃｍのものを用意すればよい。
更に、請求項２記載の発明によれば、アジャスター部材で固定するため、使用が終われば簡単に取り除くことができ、取り除いた後にビス穴などの跡が残ることがなく、玄関の美観を損ねることもない。
【００１１】請求項３に記載の本発明は、前記支柱部が基盤の両側に立設され、前記手摺り部と支柱部が基盤と着脱可能であり、両側手摺りあるいは片側手摺りとして使用することができることを特徴とする請求項１又は２に記載の介護用手摺りである。
【００１２】請求項３記載の発明によれば、支柱部が基盤の両側に立設されているから使用者例えば片マヒの方などが常に前向きで昇り降りすることができるようになる。さらに、基盤と支柱部との間が着脱可能なので、手摺り部と支柱部とを着脱でき、右側の支柱部と手摺り部を取り除けば左側用の手摺りとして使用でき、左側の支柱部と手摺り部を取り除けば右側用の手摺りとして使用することができる。
【００１３】請求項４に記載の本発明は、前記手摺り部は手摺り本体と手摺りステーとからなり、前記支柱部は支柱とステーとからなり、手摺りステーと支柱との間および／または支柱とステーとの間で上下に高さ調整できることを特徴とする請求項１乃至３に記載の介護用手摺りである。
【００１４】請求項４記載の発明によれば、手摺りステーと支柱との間および／または支柱とステーとの間で上下の高さ調整機能を備えているから、使用者の体格や身体の状態に合わせて支柱とステーとの間で手摺り部の高さを設定し、更に手摺り部と支柱部との間で微調整行い２段階調整ができる。
【００１５】請求項５に記載の本発明は、前記手摺り部は両側に水平な把持部を有し、該水平な把持部の一方から他方の水平な把持部に向けて曲率半径が漸増または漸減して湾曲する把持部を有することを特徴とする請求項１乃至４に記載の介護用手摺りである。
【００１６】請求項５記載の発明によれば、両側に水平な把持部を有し、該水平な把持部の一方から他方の水平な把持部に向けて曲率半径が漸増または漸減して湾曲する把持部を有しているから、高齢者の方、足腰の弱くなった方、片マヒの方、身体障害者などが手摺りに体重をかけて移動する場合であってもスムースに昇り降りができる。また、手摺り部と支柱部との間が着脱自在なので、手摺りが手垢などで汚れた場合あるいはレンタルで再度貸し出す場合など手摺りを交換することができる。
【発明の効果】
【００１７】本発明では、手摺り全体が前後左右に移動や揺動することがなくなり、安全で安心なものを使用者に提供できる。また、両側支柱タイプ、右用または左用の片側支柱タイプを提供することができ、使用者、使用場所に適したものを選択することができる。また、ビスで固定することなく使用することができるのでレンタルに適したものを提供することができる。湾曲している把持部および高さ調整機能により、高齢者、身体障害者、片マヒの方などが段差のある所で昇り降りするのに適したものを提供できる。さらに着脱可能にしているからコンパクトに梱包でき輸送にも便利である。
【発明を実施するための最良の形態】
【００１８】以下、本発明の一実施形態を図面に基づき説明する。図１、図２、図３は本発明に係る突っ張り棒を備えた介護用手摺りの正面図、平面図、右側面図である。図４は展開図、図５は斜視図である。【００１９】図に示すように本発明に係る突っ張り棒を備えた介護用手摺りは、床面に載置される基盤１と、該基盤上に着脱可能に取り付けられる支柱部２と、支柱部２の上部に着脱可能に取り付けられる手摺り部３と、基盤１に着脱可能に取り付けられ長さ調整が可能な突っ張り棒４により構成されている。基盤１はベース板１０と筒状体１１とからなり、角形状の筒状体１１がベース板１０上に溶接されて４本立設されている。
突っ張り棒４は基盤１の一辺に取り付けられている。【００２０】支柱部２は、支柱２１とステー２２とからなり、基盤１の両側に一対立設される。支柱２１は鉄製の角パイプで縦支柱２１ａ横支柱２１ｂが溶接され連結して一体化している。ステー２２は縦支柱２１ａより一回り小さいサイズの鉄製角パイプでネジ止め穴２２１が複数個間欠的に設けられている。そして、ステー２２の一端はベース板１０に立設された筒状体１１に挿入して嵌合され、筒状体１１に形成されたネジ穴１１１を介してステー２２に形成されたネジ止め穴２２１に止めネジで固定されている。他方、ステー２２の他端は縦支柱２１ａに挿入して嵌合され、縦支柱２１ａに形成されたネジ穴２１１を介してステー２２に形成されたネジ止め穴２２１に止めネジ５で固定され、高さ設定がおこなわれる。
また、支柱２１の上部でも手摺りステー３２との間で上記と同様に高さ調整を行い手摺り部３と連結する。
上り框側の縦支柱２１ａの下部には、一端に樹脂脚を設けたボルト体の枝支柱２３が形成され、縦支柱２１ａの下部に螺合して挿入されている、枝支柱２３は回転させて伸縮させることにより高さ調節されて上り框近傍の床面に当接される。【００２１】手摺り部３は、手摺り本体３１と手摺りステー３２からなり、手摺り本体３１は両端に水平な把持部３１ａとその水平な把持部の一方から他方の水平な把持部に向けて曲率半径が漸増または漸減して湾曲する把持部３１ｂを有している。水平な把持部の先は下方に折曲している。通常の傾斜した把持部はどこを握っても同じ傾斜角であるが、湾曲した把持部３１ｂは握る個所により傾斜角が異なるので使用者個人の握り易いところを選択することができ、昇り降りする際にスムースな移動が可能となり片マヒなどで困っている人に適する。【００２２】手摺りステー３２はステー２２と同様に縦支柱２１ａより一回り小さいサイズの鉄製角パイプでネジ止め穴２２１が複数個間欠的に設けられ、一端に鉄製の平板が溶接で一体化されている。そしてビスなどで手摺り本体の裏面に固定され、手摺り本体と一体となっている。他方、手摺りステー３２の他端は縦支柱２１ａに挿入して嵌合され、縦支柱２１ａに形成されたネジ穴２１２を介して手摺りステー３２に形成されたネジ止め穴３２１に止めネジ５で固定され、高さ設定がおこなわれる。したがって、前記と同様に手摺り部と支柱部との間で高さ調整を行うことができる。手摺り本体は木製であるが、断面楕円形状の鉄、アルミなど金属製のパイプ状のものにプラスチック製、エラストマー製チューブを被覆したものであってもよい。【００２３】図５は、突っ張り棒を備えた手摺りの斜視図であり、使用状態を示す図である。図６は突っ張り棒の斜視図、図７は突っ張り棒の展開図であり、図６、図７に示す破断線部分は長さを省略している。突っ張り棒は棒状本体４１、延長部材４２、４３で構成される。図５では、棒状本体４１は基盤１（ベース板１０）に直接溶接されて固定されているが、基盤１（ベース板１０）に固定する際、直接溶接ではなく着脱可能にネジで固定してもよい。
突っ張り棒を固定するための受け台は、ベース板１０（基盤）の一辺をＬ字形状又はＵ字形状に屈曲させて形成してもよい。
図６、図７に示すように、突っ張り棒４は棒状本体４１、短い延長部材４２、長い延長部材４３、アジャスター部材５０とからなり、棒状本体４１は鉄製のＣ字形状のチャンネル部材で両側にそれぞれ２個の穴が設けられ、一端側には棒状本体より一回り小さく短い延長部材４２が装着され、他端側には長い延長部材４３が装着されている。短い延長部材４２及び長い延長部材４３の面にはネジ穴が間欠的に複数個設けられ、玄関幅に合わせて長さを調整して組み付けネジで固定することができる。短い延長部材４２及び長い延長部材４３の端面には台座４４が設けられアジャスター部材５０と螺合している。アジャスター部材５０は外周面に雄ネジ有する棒体５１がボルトのように形成され片方に押圧体５２が取り付けられている。押圧体５２はゴム、エラストマー、プラスチックなどの弾性を有する材料である。また、図８ｂに示すように、延長部材はＣ字形状の延長部材４５を形成してもよい。【００２４】図５乃至図７、及び図９に示すように、突っ張り棒４は、玄関の幅に合わせて短い延長部材４２と長い延長部材４３とを調節して組み付けネジで棒状本体４１に取り付ける。次にアジャスター部材５０を回動させて押圧体５２を壁に当接し、さらに回動させ強く押圧体５２を壁面に押し当てていく。そして回り止めナット５３により固定を行う。そのとき、Ｌ字形状及びＣ字形状の延長部材は軸線方向に強い圧縮力を受け、図８ａに示す矢印Ｘ又はＹ方向に撓む性質を有するから、図８ａに示す矢印Ｚ方向に湾曲して上り框の下部壁面を押圧するように作用し、しっかり固定される。【００２５】次に、図９に示す片側タイプとして使用する場合について説明する。例えば、右用タイプとして使用するときは基盤１左側の筒状体１１とステー２２とを固定している止めネジ５を緩めて筒状体１１からステー２２を離脱させることにより手摺り部３と支柱部２を一体的に基板１から取り外す。取り外した後の筒状体１１にはカバー６を取り付けてもよい。その使用状態を図９に示す。また、支柱を上下に大きく伸ばすと基盤１と支柱部２との間で約１２ｃｍ、支柱部２と手摺り部３との間で約１２ｃｍの高さ調整ができる【００２６】上記説明のように、本発明は上記実施例に限定されるものではなく、上記の実施例では鉄製角パイプであるがアルミ製でもよく、また丸パイプであってもよい。
上記実施例では基盤に着脱可能で長さ調整が可能な突っ張り棒として棒状体に間欠的に穴のあいた棒体を組み付けネジで取り付けることを説明したが、棒状本体と延長部材をスライドさせノブボルトで固定し、長さを調整できるようにして伸縮自在にしてもよい。【００２７】本発明の突っ張り棒を備えた介護用手摺りは、玄関の上り框用手摺りとして適しているが、段差のある場所、例えば階段付近、縁側から庭先に降りるところなどにも使用することができる。【００２８】上述のように本発明は、高齢者、身体障害者、片マヒの方、足の弱い方など幅広く使用していただける介護用手摺りを提供するものである。特にレンタルに適した特徴をもつものである。
【図面の簡単な説明】
【００２９】
【図１】    介護用手摺りの正面図
【図２】    介護用手摺りの平面図
【図３】    介護用手摺りの右側面図
【図４】    介護用手摺りの側面視による展開図
【図５】    介護用手摺りの使用状態を示す斜視図
【図６】    突っ張り棒の斜視図
【図７】    突っ張り棒の展開図
【図８】    突っ張り棒の取り付け状態を示す断面図
【図９】    片側タイプ介護用手摺りの使用状態を示す斜視図
【符号の説明】
【００２７】１        基盤
１０      ベース板
１１      筒状体
２        支柱部
２１      支柱
２１ａ    縦支柱
２１ｂ    横支柱
２２      ステー
５０      アジャスター
３        手摺り部
３１      手摺り本体
３２      手摺りステー
４        突っ張り棒
４１      棒状本体
４２      短い延長部材
４３      長い延長部材
４４      台座
４５      Ｃ型延長部材
５        止めネジ
６        カバー
１１１、２１１、２１２  ネジ穴
２２１、３２１    ネジ止め穴
【図１】
2011214378.tif 000003
【図２】
2011214378.tif 000004
【図３】
2011214378.tif 000005
【図４】
2011214378.tif 000006
【図５】
2011214378.tif 000007
【図６】
2011214378.tif 000008
【図７】
2011214378.tif 000009
【図８】
2011214378.tif 000010
【図９】
2011214378.tif 000011